【手続補正書】
【提出日】平成18年11月30日(2006.11.30)
【手続補正１】
【補正対象書類名】明細書
【補正対象項目名】特許請求の範囲
【補正方法】変更
【補正の内容】
【特許請求の範囲】
【請求項１】  中心軸に沿って電子ビームを発生及び、方向付けるための電子ビーム源、並びに、前記中心軸に沿って電子ビーム源から拡張するＸ線放射プローブを含むＸ線源の電子ビーム源で使用するための、モジュール式多段電子ビーム加速器であって：
Ａ．縦長の第１段であって：
i．前記中心軸の周りに形成され、その内部に中央の中空領域を画定する第１段ハウジング；
ii．縦長の第１段ハウジングの、密閉され且つ絶縁された第１の端；
iii．前記第１段ハウジングの第１端の反対側で、第１端よりＸ線放射プローブに近い方の端であって、その中に、前記中心軸の周りに画定された開口、及びそれに取り付けられた第１段のアノードを持った第２の端；及び、
iV．電子銃カソードを含み、そこから放射される電子が中心軸に沿って前記第２端に向かうように、第１段ハウジングに配置された電子銃を含む第１段；
Ｂ．前記電子銃カソードと電気的に接続している電子銃の電力源であって、前記電子銃が前記電子銃の電力源によって前記電子銃カソードに印加された電圧に応答して電子を放射するようにするための電子銃電力源；及び、
Ｃ．第１段のアノードに伝達された正の第１段加速器電圧が電子銃から前記中心軸に沿って放射された電子を前記中心軸に沿って第２端の方へ加速するように、第１段のアノードと電気的に接続された第１段電力源を備えるモジュール式多段電子ビーム加速器。
【請求項２】  電子銃電力源に電子銃カソードによって伝達される電圧がー５０ｋＶである、請求項１に記載のモジュール式多段電子ビーム加速器。
【請求項３】  第１段電力源によって第１段アノードに伝達される正の電圧（差）が電子銃カソードに対して１０ｋＶである、請求項１に記載のモジュール式多段電子ビーム加速器。
【請求項４】  Ｄ．第２の加速器段であって：
i．前記中心軸の周りに形成され、その内部に中央の中空領域を画定する第２段ハウジング；
ii．前記第２段ハウジングによって画定された第３の端であって、第３端と第２端が同じ電圧に保持され、第１段のアノードが第２段のカソードとして作用するように、第１段の第２端に真空封止され且つ電気的に接続され、その中に、前記中心軸の周りに形成された開口を持った第３の端；
iii．前記ハウジングによって前記第３端の反対側に画定され、その中に、前記中心軸の周りに画定された開口及び、それに取り付けられた第２段のアノードを持った第４の端；及び、
iv．第２段アノードに伝達された正の第２段加速器電圧が第１加速器段から前記中心軸に沿って伝播する電子を前記中心軸に沿って第４端の方へ加速するように、第２段アノードと電気的に接続された第２段の電力源を備える第２の加速器段をさらに備える、請求項１に記載のモジュール式多段電子ビーム加速器。
【請求項５】  第２段電力源によって第２段アノードに伝達される正の電圧（差）が第２段カソードに対して１０ｋＶである、請求項４に記載のモジュール式多段電子ビーム加速器。
【請求項６】  絶縁された第２段ハウジングが：
その中に形成されたくぼみを持ち、第１段の第２端に近接し且つ真空封止された第３端のリング状の絶縁体であって、第２段アノード、第２加速器段の中央の中空領域、及び絶縁体の接合部から放射された電子が前記くぼみ内に捕獲されるようにされたリング状の絶縁体から成る、請求項４に記載のモジュール式多段電子ビーム加速器。
【請求項７】  第２段の絶縁体の内側の表面が中心軸の周りに、実質的に円錐形の、第２段の中央の中空領域を画定し、円錐形の第２段の中央中空領域のベースが第２段アノードに近接している、請求項６に記載のモジュール式多段電子ビーム加速器。
【請求項８】  絶縁体がセラミック材料から作製される、請求項６に記載のモジュール式多段電子ビーム加速器。
【請求項９】  第２段アノードが：
Ａ．中心軸の周りにリング状の開口を画定する平らなアノードリング；及び、
Ｂ．リング状開口と実質的に同じ直径を持ち、中心軸の周りに配置されたアノードシリンダーであって、前記アノードシリンダーの第１の端で前記アノードリングと一体化しており、前記アノードシリンダーの第２の端が放射状に中心軸から離れるように曲がっている、アノードシリンダーから成る、請求項６に記載のモジュール式多段電子ビーム加速器。
【請求項１０】  Ｅ．第３の加速器段であって：
i．前記中心軸の周りに形成され、その内部に中央の中空領域を画定する第３段ハウジング；
ii．前記ハウジングによって画定された第５の端であって、第５端と第４端が同じ電圧に保持され、第２段のアノードが第３段のカソードとして作用するように、第２段の第４端に真空封止され且つ電気的に接続され、その中に、前記中心軸の周りに形成された開口を持った第５の端；
iii．前記ハウジングによって前記第５端の反対側に画定され、その中に、前記中心軸の周りに画定された開口及び、それに取り付けられた第３段のアノードを持った第６の端；及び、
iv．第３段アノードに伝達された正の第３段加速器電圧が第２加速器段から前記中心軸に沿って伝播する電子を前記中心軸に沿って第６端の方へ加速するように、第３段アノードと電気的に接続された第３段の電力源を備える第３の加速器段をさらに備える、請求項４に記載のモジュール式多段電子ビーム加速器。
【請求項１１】  第３段電力源によって第３段アノードに伝達される正の電圧（差）が第３段カソードに対して１０ｋＶである、請求項１０に記載のモジュール式多段電子ビーム加速器。
【請求項１２】  Ｆ．第４の加速器段であって：
i．前記中心軸の周りに形成され、その内部に中央の中空領域を画定する第４段ハウジング；
ii．前記ハウジングによって画定された第７の端であって、第７端と第６端が同じ電圧に保持され、第３段のアノードが第４段のカソードとして作用するように、第３段の第６端に真空封止され且つ電気的に接続され、その中に、前記中心軸の周りに形成された開口を持った第７の端；
iii．前記ハウジングによって前記第７端の反対側に画定され、その中に、前記中心軸の周りに画定された開口及び、それに取り付けられた第４段のアノードを持った第８の端；及び、
iv．第４段アノードに伝達された正の第４段加速器電圧が第３加速器段から前記中心軸に沿って伝播する電子を前記中心軸に沿って第８端の方へ加速するように、第４段アノードと電気的に接続された第４段の電力源を備える第４の加速器段をさらに備える、請求項１０に記載のモジュール式多段電子ビーム加速器。
【請求項１３】  第４段電力源によって第４段アノードに伝達される正の電圧（差）が第４段カソードに対して１０ｋＶである、請求項１２に記載のモジュール式多段電子ビーム加速器。
【請求項１４】  Ｇ．第５の加速器段であって：
i．前記中心軸の周りに形成され、その内部に中央の中空領域を画定する第５段ハウジング；
ii．前記第５段ハウジングによって画定された第９の端であって、第９端と第８端が同じ電圧に保持され、第４段のアノードが第５段のカソードとして作用するように、第４段の第８端に真空封止され且つ電気的に接続され、その中に、前記中心軸の周りに形成された開口を持った第９の端；
iii．前記第５段ハウジングによって前記第９端の反対側に画定され、その中に、前記中心軸の周りに画定された開口及び、それに取り付けられた第５段のアノードを持った第１０の端；及び、
iv．第５段アノードに伝達された正の第５段加速器電圧が第４加速器段から前記中心軸に沿って伝播する電子を前記中心軸に沿って第１０端の方へ加速するように、第５段アノードと電気的に接続された第５段の電力源を備える第５の加速器段をさらに備える、請求項１２に記載のモジュール式多段電子ビーム加速器。
【請求項１５】  第５段電力源によって第５段アノードに伝達される正の電圧（差）が第５段カソードに対して１０ｋＶである、請求項１４に記載のモジュール式多段電子ビーム加速器。
【請求項１６】  Ｈ．リング状の絶縁プローブ接続部であって：
i．前記中心軸の周りに形成され、その中に中央の中空領域を画定するプローブ接続部ハウジング；
ii．前記プローブ接続部ハウジングによって画定され、第５段の第１０端に真空封止され、その中に、前記中心軸の周りに形成された開口を持った第１１の端；及び、
iii．前記第１１端の反対側に前記プローブ接続部ハウジングによって画定された第１２の端であって、その中に、前記中心軸の周りに画定された開口及び、それに取り付けられたビーム電流測定電極を持ち、前記Ｘ線放射プローブが取り付けられる第１２端を備えるリング状の絶縁プローブ接続部をさらに備える、請求項１４に記載のモジュール式多段電子ビーム加速器。
【請求項１７】  Ａ．電子ビームを発生し、中心軸に沿って電子ビーム源から遠位の前記中心軸上の、Ｘ線を放射するターゲットに、前記中心軸の電子銃の近くの地点から電子銃から遠位の地点に沿って複数の加速器段を含む加速器を通して送るための電子ビーム発生器；及び、
Ｂ．前記ビーム電流を表す信号を生成するための回路網であって：
i．電圧増倍器の入力ノードに接続された入力ノード及び、グランド電位に接続された出力ノードを持ったビーム電流測定回路網；
ii．入力ノード及び前記電子銃に接続されている出力ノードを持った、直列に接続された複数の電圧増倍器段を持つ電圧増倍器；
iii．電圧増倍器の入力ノードに接続された入力ノード及び、電圧増倍器の出力ノードに接続された出力ノードを持った電圧監視回路網；
iv．前記ターゲットを前記グランド電位に結合するカプラー；及び、
v．複数の電圧増倍器タップであって、複数の増倍器段のうち電子銃から最も遠位にある加速器段が電圧増倍器の入力ノードに接続し、残りの各中間の加速器段が複数の電圧増倍器の対応する中間の電圧増倍器に接続するための電圧増倍器タップを備える回路網を備えるＸ線発生システム。
【請求項１８】  電子銃から最も遠位の加速器段が実質的にグランド電位である、請求項１７に記載のＸ線発生システム。